(57)【要約】【課題】  入浴時の当初においても座面の冷たさを感じることがないとともに、座り心地に優れた浴室用椅子を提供する。【解決手段】  脚部と座部１２とを備え、脚部と座部１２とが取り外し可能に構成された浴室用椅子において、座部１２は、弾力性が付与された第１の弾性部材１６を有し、第１の弾性部材１６の上面に表面部防水層２０を設けるとともに、表面部防水層の上面に、さらに第２の弾性部材１８を設けてクッション性を改善するとともに、座面を構成する部分を、断熱性を有する被覆材２２によって被覆している。【選択図】        図２
0003117431.tif 000002
【実用新案登録請求の範囲】
【請求項１】
脚部と座部とを備え、該脚部と座部とが取り外し可能に構成された浴室用椅子において、
前記座部は、弾力性が付与された第１の弾性部材を有し、該第１の弾性部材の上面に表面部防水層を設けるとともに、該表面部防水層の上面を、断熱性を有する被覆材によって被覆してなることを特徴とする浴室用椅子。
【請求項２】
前記第１の弾性部材は、フレームにネットを張設することによって形成されていることを特徴とする請求項１に記載の浴室用椅子。
【請求項３】
前記表面部防水層の上面に、弾力性を備える第２の弾性部材を取り付け、該第２の弾性部材の上面を、断熱性を有する被覆材によって被覆してなることを特徴とする請求項１又は２に記載の浴室用椅子。
【請求項４】
前記座部の裏面側には、支持枠が配設され、該支持枠を前記脚部の開口部に対して嵌合自在に構成されていることを特徴とする請求項１〜３に記載の浴室用椅子。
【請求項５】
前記第１の弾性部材を構成するフレームは、アルミニウム、鋼材、ステンレス、チタン、カーボン、木材、合成樹脂類のうち、少なくとも１種類以上の材料を使用して構成されていることを特徴とする請求項２〜４に記載の浴室用椅子。
【請求項６】
前記第１の弾性部材の裏面側に、裏面部防水層を形成してなることを特徴とする請求項１〜５に記載の浴室用椅子。
【考案の詳細な説明】
【技術分野】
【０００１】
本考案は、浴室で入浴の際に使用する浴室用椅子に関する。
【背景技術】
【０００２】
従来、浴室で使用される椅子或いは腰掛けとして、最も代表的なものは、上部に座部が設けられているとともに、その座部から下方へ連続する脚部を備えたものがある。このような浴室用椅子はポリプロピレン製で、一体成形されたものが多い。
【０００３】
その一方で、特開2004-8636号公報には、ネットを張設した座枠によって座部を形成した浴室用椅子に関する考案が開示されている。同考案によれば、座った状態で、全身を洗うことが出来ること、座部が交換可能であるなどの利点を有するとされている。
【特許文献１】特開2005-8636号公報
【考案の開示】
【考案が解決しようとする課題】
【０００４】
しかしながら、多くの浴室椅子で使用されているポリプロピレンは、断熱性を有しないために、入浴時当初に臀部が冷たく感じられ、使用者にとって使い心地のよいものではなかった。特に、寒冷地など、浴室全体が冷え切っているような地域においては、その影響は顕著に現れる。また、特開2005-8636号公報記載の浴室用椅子は、座部の部分がネットで形成されているため、使用者の臀部にネットが食い込み、長時間使用した場合は、痛みを感じるなど、やはり使用感がよくなく、場合によっては使用後に使用者の臀部にネットの押圧痕がつくこともある。
【０００５】
本考案は、このような諸事情に対処するために提案されたものであって、入浴時の当初においても座面の冷たさを感じることがないとともに、座り心地に優れた浴室用椅子を提供することを目的とする。
【課題を解決するための手段】
【０００６】
上記目的を達成するために、請求項１記載の考案は、脚部と座部とを備え、該脚部と座部とが取り外し可能に構成された浴室用椅子において、前記座部は、弾力性が付与された第１の弾性部材を有し、該第１の弾性部材の上面に表面部防水層を設けるとともに、該表面部防水層の上面を、断熱性を有する被覆材によって被覆してなることを特徴する。
【０００７】
請求項２記載の考案は、請求項１において、前記第１の弾性部材は、フレームにネットを張設することによって形成されていることを特徴とする。
【０００８】
請求項３記載の考案は、請求項１又は２において、前記表面部防水層の上面に、弾力性を備える第２の弾性部材を取り付け、該第２の弾性部材の上面を、断熱性を有する被覆材によって被覆してなることを特徴とする。
【０００９】
請求項４記載の考案は、請求項１〜３において、前記座部の裏面側には、支持枠が配設され、該支持枠を前記脚部の開口部に対して嵌合自在に構成されていることを特徴とする。
【００１０】
請求項５記載の考案は、請求項２〜４において、前記第１の弾性部材を構成するフレームは、アルミニウム、鋼材、ステンレス、チタン、カーボン、木材、合成樹脂類のうち、少なくとも１種類以上の材料を使用して構成されていることを特徴とする。
【００１１】
請求項６記載の考案は、請求項１〜５において、前記第１の弾性部材の裏面側に、裏面部防水層を形成してなることを特徴とする。
【考案の効果】
【００１２】
上述のように、請求項１乃至６記載の考案によれば、座部は、弾力性が付与された第１の弾性部材によって形成されているので、使用者が着席した際の沈み込みが適度に抑制されるとともに、適度なクッション性を有するようになり、座り心地が向上する。また、表面部防水層の上面を、断熱性を有する被覆材によって被覆しているので、浴室での使用開始時に座面の冷たさを感じることがなく、快適な使用感を得ることができる。
【００１３】
特に、請求項２記載の考案によれば、第１の弾性部材を、フレームにネットを張設することによって形成しているので、第２の弾性部材との複合的な作用により、クッション性が著しく向上している。
【００１４】
さらに、請求項３記載の考案によれば、第１の弾性部材に加えて、表面部防水層の上面に、第２の弾性部材を取り付けているので、両弾性部材の複合的作用により、クッション性に優れ、且つ沈み込みの少ない使用感に優れた浴室用椅子を提供することができる。
【００１５】
加えて、請求項１及び６記載の考案によれば、表面部防水層並びに裏面部防水層を形成し、第１の弾性部材並びに第２の弾性部材に対する湿気の侵入を防止している。これにより、湿気による劣化を防止することができるので、優れたクッション性を長期間に亘って維持することができるとともに、浴室用椅子として耐久性が向上する。
【考案を実施するための最良の形態】
【００１６】
以下、本考案に係る浴室用椅子の好適な実施形態について添付図面を参照して説明する。
【００１７】
図１は本考案の一実施形態に係る浴室用椅子の概略構成を示す斜視図である。
同図（Ａ）に示されるように、浴室用椅子１０は、主として座部１２と、脚部１４とから構成されている。同図（Ｂ）に示されるように、座部１２は、脚部１４に対して取り外し自在となっている。
【００１８】
図２は座部１２を構成部材ごとに現した分解斜視図、図３は座部１２の主要な構成部材の一つである第１の弾性部材を示した図である。
図２に示されるように、座部１２は、第１の弾性部材１６と、第２の弾性部材１８と、表面部防水層２０と、被覆材２２等とから構成されている。
【００１９】
図３（Ａ）に示されるように、第１の弾性部材１６は、略楕円状に形成されたフレーム１６Ａに、例えばテニスラケットに使用されるモノフィラメント又はマルチフィラメントのストリング１６Ｂを、隣接するストリング１６Ｂ同士の間隔が２０ｍｍとなるよう網の目のように張設することによって所定の弾力を有するように形成されている。勿論、ストリング１６Ｂによって網の目を形成するのは本考案の一例に過ぎず、一定の強度を有する糸状の材料であれば、どのような素材の材料を使用してもよいことは勿論である。また、２０ｍｍ間隔としたのも一例であり、使用材料、使用状況等によって、ストリング１６Ｂ間の間隔は適宜変更することが可能である。
【００２０】
図３（Ｂ）に示されるように、本実施形態では、フレーム１６Ａの上側部分にストリング１６Ｂを張設しているが、その位置についても適宜変更可能である。なお、フレーム１６Ａは、本実施形態では、アルミニウム材を略楕円形に加工したものを使用しているが、これに限らず、鋼材、ステンレス、チタン、カーボン等をフレームの材料として使用することも可能である。
【００２１】
図４は座部１２の平面図及び正面図、図５は図４のＶ−Ｖ線に沿った矢視断面図である。図３〜図５に示されるように、第１の弾性部材１６上には、フレーム１６Ａの開口面積よりやや小さく成形されたゴム系材料の部材を、ウレタンゴムなどのゴム系接着剤によってストリング１６Ｂに接着することで防水性が付与され、表面部防水層２０が形成される。表面部防水層２０の裏面には、後述する裏面部防水層２５が形成され、ストリング１６Ｂを両防水層で挟み込むことにより、クッション材として機能するストリング１６Ｂに防水性が付与される。
さらに、表面部防水層２０上には、ウレタンゴムなどのゴム系接着剤により形成された接着層２３が、第２の弾性部材１８との間に介在し、この接着層２３によって第２の弾性部材１８が、表面部防水層２０上に貼りつけ固定されている。接着層２３は、表面部防水層２０の上面の全域に、ゴム系接着剤が平滑となるように流し込むことで形成され、これによって表面部防水層２０についても、水の侵入が防止され、結果的に第１の弾性部材１６を、使用時の水濡れや湿気から完璧に保護することができる。
【００２２】
第２の弾性部材１８の一例としては、イノアック社製のゴムスポ（商標）が好適に用いられる。ゴムスポの中では、特に天然ゴム及びスチレンブタジエンゴムを原料とするＮＲ系又はＥＰＤＭ系の材料などがクッション性の点から適している。ＥＰＤＭ系は、主成分としてエチレン系のゴムスポンジを使用しており、耐オゾン性、耐化学薬品性、耐熱性を有し、独立気泡又は連続気泡のものがある。独立気泡のゴムスポンジは、吸水性がないため、浴室のように湿度が高く、常時、水に濡れるような場所で使用する物品に適している。
【００２３】
図２並びに図５に示されるように、第２の弾性部材１８の上面には、やはりゴム系接着剤により形成される接着層２４によって被覆材２２が接着され、被覆材２２の端部２２Ａは、第１の弾性部材１６のフレーム１６Ａの縁部下面まで折り込まれて接着されている。被覆材２２は、断熱性、耐水性を有する発泡樹脂系の材料、例えばポリオレフィンフォーム、シリコーンスポンジなどが好適である。このような性質を有する素材の一例として、イノアック社製のＰ・Ｅ−ライトシリーズ（商品名）の製品が適している。このように被覆材２４は、断熱性に優れた材料を使用しているため、浴室での使用開始時に、使用者が座った際に臀部に感じられる座面の冷たさを低減することができる。
【００２４】
また、図２並びに図５に示されるように、第１の弾性部材１６の下面には、フレーム１６Ａの開口面積よりやや小さく成形されたゴム系材料の部材からなる裏面部防水層２５が形成されている。裏面部防水層２５は、ゴム系材料の部材を第１の弾性部材１６の下面に、ウレタンゴムなどのゴム系接着剤を流し込み、接着することによって防水性が付与されている。
さらに、図４及び図５に示されるように、フレーム１６Ａには、フレーム１６Ａの開口よりも、僅かに小さな開口径を有し、略楕円形に形成された支持枠２６が取り付けられている。この支持枠２６は、後述する脚部１４に座部１２を取り付ける際に、脚部１４上部の開口縁１４Ａに対して嵌合し、座部１２と脚部１４とを連結し固定する役割を有している。
【００２５】
図６は脚部１４を示す平面図、図７は図６のＶＩＩ−ＶＩＩ線に沿った矢視断面図である。図１及び図６に示されるように、脚部１４は、平面から視ると座部１２と同様な形状に形成され、一例としてポリプロピレンなどを材料に一体成形されることによって製造される。脚部１４の両側には、使用者の体重を支持する脚の部分が設けられ、中央部は切り欠かれた形状をなしている。図７に示されるように、脚部１４の上端部には、前述した座部１２の支持枠２６が接続される開口縁１４Ａが形成されている。開口縁１４Ａは、両側から支持枠２６を挟みこむ二重の枠が、脚部１４の開口部の上縁に沿って形成され、これによって座部１２を脚部１４に固定する。嵌合時には、座部１２と脚部１４との接続部分がほぼ面一となって突起物がなくなるため、浴室における使用者の安全性が向上している。
【００２６】
図８及び図９は、座部と脚部との接続部分の他の実施形態を示した図であり、図８が正面図、図９が接続部分の詳細を示した断面図であり、これらのうち、図８（Ａ）及び図９（Ａ）、図８（Ｂ）及び図９（Ｂ）がそれぞれ対応した図である。
図８（Ａ）及び図９（Ａ）の場合は、脚部１４´の上部に支持部１４Ｂが設けられ、この支持部１２Ｂに、座部１２の被覆材２２及びフレーム１６Ａが、支持枠２６を介在することなく直接支持されている。
また、図８（Ｂ）及び図９（Ｂ）の場合も同様に、脚部１４´´上部の中心部側に段部１４Ｃを設け、この段部１４Ｃに座部１２の被覆材２２及びフレーム１６Ａが、支持枠２６を介在することなく、直接支持されている。図８及び図９のように構成した場合は、脚部１４に比較して開口部の構造を単純化することが出来ると言う利点がある。
【００２７】
図１０は、図５で示される第２の弾性部材１８を省略した場合の座部１３の断面図である。なお、図１０に示される座部１３において、前述した図５の座部１２と同一の部材には同一の符号を付し、その説明を省略する。
図１０に示される座部１３の座面は、表面部防水層２０に厚手の被覆材２８を接着することによって形成され、被覆材２８の端部をフレーム１６Ａの下面に折り込んでいる。つまり、図５に示す座部１２に存在した第２の弾性部材１８を省略し、被覆材２８に、第２の弾性部材１８が持つクッション性を兼ね備えるようにしている点が相違する。これによれば、構造が簡素化され、製造コスト、材料コストの低減を図ることができる。
【００２８】
以上説明したように、本実施形態の浴室用椅子１０のうち、図５に示される座部１２によれば、使用者の体重を支えるクッション材として、第１の弾性部材１６及び第２の弾性部材１８を使用しているので、両弾性部材の複合的作用により、クッション性に優れ、且つ沈み込みの少ない使用感に優れた浴室用椅子を提供することが可能となった。また、第２の弾性部材１８を、ゴム系の材料を使用して形成しているので、耐水性、耐久性に優れ、長期に亘って性能を維持することができる。
【００２９】
また、図１０に示される座部１３の場合は、第２の弾性部材１８を省略しているが、第１の弾性部材１６のストリング１６Ｂの張力、素材、並びに被覆材２８の暑さや、硬さを最適化することにより、第１の弾性部材１６だけでも、優れたクッション性を有する浴室用椅子を提供することができる。これによれば、第２の弾性部材１８が不要となる分だけコスト的に安価となる利点を有する。
【産業上の利用可能性】
【００３０】
以上説明したように、本考案によれば、座部に、断熱性を有する被覆材で形成した座面を設けているので、使用時当初に感じられる座面の冷たさがなくなり、使用感が向上する。また、クッション性に優れているので座り心地がよく、且つ防水処理を表面部の他、裏面部にも施しているので、湿気、水などが弾性部材へ侵入するのを確実に防止することができ、耐久性が向上している。
【図面の簡単な説明】
【００３１】
【図１】本考案の一実施形態に係る浴室用椅子の概略構成を示す斜視図である。
【図２】本実施形態における浴室用椅子の座部を構成部材ごとに現した分解斜視図である。
【図３】同じく、本実施形態における浴室用椅子の座部の主要な構成部材の一つである第１の弾性部材を示した図である。
【図４】同じく、本実施形態における浴室用椅子の座部の平面図及び正面図である。
【図５】図４のＶ−Ｖ線に沿った矢視断面図である。
【図６】同じく、本実施形態における浴室用椅子の脚部を示す平面図である。
【図７】図６のＶＩＩ−ＶＩＩ線に沿った矢視断面図である。
【図８】座部と脚部との接続部分の他の実施形態を示した正面図である。
【図９】座部と脚部との接続部分の他の実施形態を示した接続部分の詳細を示した断面図である。
【図１０】図５で示される第２の弾性部材を省略した場合の座部の断面図である。
【符号の説明】
【００３２】
１０  浴室用椅子
１２  １３  座部
１４  １４´  １４´´  脚部
１４Ａ  開口縁
１４Ｂ  支持部
１４Ｃ  段部
１６  第１の弾性部材
１８  第２の弾性部材
２０  表面部防水層
２２  被覆材
２３  ２４  接着層
２５  裏面部防水層
２６  支持枠
２８  被覆材
【図１】
0003117431.tif 000003
【図２】
0003117431.tif 000004
【図３】
0003117431.tif 000005
【図４】
0003117431.tif 000006
【図５】
0003117431.tif 000007
【図６】
0003117431.tif 000008
【図７】
0003117431.tif 000009
【図８】
0003117431.tif 000010
【図９】
0003117431.tif 000011
【図１０】
0003117431.tif 000012